(57)【特許請求の範囲】
【請求項１】
カメラ部と、前記カメラ部に隣接して配置されている前方照射用の光源と、前記カメラ部と前記光源が取り付けられたボディと、前記ボディに取り付けることで前記ボディと共に本体を構成し、前記カメラ部及び前記光源の前面と対向する開口部が設けられたカバーと、前記開口部に取り付けられたフィルタと、少なくとも前記カメラ部と前記光源との間に設けられたリブとを有するテレビカメラ付きドアホン子器において、前記リブが前記フィルタの内面に当接し、Ｌが前記リブの厚さ、ｔが前記フィルタの厚さ、αが前記カメラ部のレンズ画角を表すとき、前記リブの厚さＬが、Ｌ＞２ｔ・ｔａｎ（α／２）を満たし、かつ光源側から前記フィルタに入射し、フィルタ外面で反射した後レンズ画角の外郭に入射する光とフィルタ内面とのレンズ側及び光源側の交点をそれぞれＤ、Ｅとし、ＤＥ間の距離をＬ１とするとき、当接する前記リブの光源側の端縁が、Ｌ１＝２ｔ・ｔａｎ（α／２）を満たす光源側の交点Ｅの外側にあり、前記リブのレンズ側の端縁が、レンズ側の交点Ｄの外側にあることを特徴とするテレビカメラ付きドアホン子器。
【請求項２】
前記リブは一端が前記フィルタ内に入り込んでおり、前記フィルタ内に入り込んだ前記リブの前面から前記フィルタの外部側の面との距離をｔ’とするとき、前記リブの厚さＬが、Ｌ＞２ｔ’・ｔａｎ（α／２）を満たすことを特徴とする請求項１に記載のテレビカメラ付きドアホン子器。
【発明の詳細な説明】
【０００１】
【発明の属する技術分野】
本発明は、屋内に設けられたドアホン親器との通話や、訪問者の撮影及びドアホン親器への映像信号の送信が可能な、住宅の門柱や玄関の壁面などに取り付けられるテレビカメラ付きドアホン子器に関するものである。
【０００２】
【従来の技術】
特公平７−１１４４９１号公報には、訪問者を撮影するカメラ部と、暗所での撮影でも十分な映像を得るための赤外線光源とを有し、且つ撮像範囲をより広角化するため前記カメラ部及び赤外線光源が可動式であるテレビカメラ付きドアホン子器が示されている。図１３は特公平７−１１４４９１号公報のテレビカメラ付きドアホン子器を正面から見た透視図、図１４は図１３におけるＤ−Ｄ′線での断面を上方から見た図である。尚、図１４中斜線部は、該テレビカメラ付きドアホン子器を設置した壁面を示している。
【０００３】
テレビカメラ付きドアホン子器の本体は、ボディ１とボディ１の前面に取り付けられるカバー２からなる。カバー２の中心より上方では略長方形状の開口部３が形成されており、該開口部３にはフィルタ４が取り付けられている。図１３にはフィルタ４を図示しておらず、その部分には開口部３から見える本体内部を示している。
【０００４】
訪問者を撮影するためのカメラ部５は、レンズ５ａや、ＣＣＤ素子などの固体撮像素子、光学撮像部などにより構成されている。カメラ部５が固着されているプリント板３０はボディ１に取り付けられており、ボディ１に対して上下方向に移動できるようになっている。カメラ部５は開口部３に対向するよう位置し、フィルタ４越しに訪問者を撮影する。
【０００５】
また、カメラ部５の左右両脇には、フィルタ４越しに前方を照射するための赤外発光素子からなる光源６が、各々２列ずつプリント板３１に配置されている。光源６の設けられたプリント板３１は、カメラ部５の設けられたプリント板３０に連動するよう取り付けられている。
【０００６】
カメラ部５が可動式であることから、レンズ５ａとフィルタ４との間には隙間のある構成となる。この隙間のため、光源６から照射された光はフィルタ４で反射してレンズ５ａに入射する。レンズ５ａに入射した光は映像に悪い影響を与えるので、これを遮るために枠状のリブ２０が設けられている。リブ２０は、カメラ部５とその両側の光源６との間にそれぞれ設けられており、カバー２に一体となっている。リブ２０の前面は、パッキン２１を介してフィルタ４に接している。
【０００７】
【発明が解決しようとする課題】
フィルタ４で反射する光には、本体内部とフィルタ４との境界となる本体内部側の面で反射する光と、本体の外部とフィルタ４との境界となる外部側の面で反射する光とがある。従来のテレビカメラ付きドアホン子器に設けられたリブ２０では、フィルタ４の本体内部側の面で反射した光は遮断できるが、外部側の面で反射した光は遮断できないことがあった。
【０００８】
また、このようなフィルタ４の外部側の面での反射光と、本体内側の表面や本体内部に設けられている部材の表面での反射光は、フィルタ４の本体内部側の面での反射光に比べてその強度は弱いものであるが、カメラ部５の性能向上及び光源６の高出力化に伴って映像に影響を与えるようになった。
【０００９】
さらに、本体の小型化により、上述した本体内側の表面や部材の表面での反射光の進む距離が短くなったことから、反射光はほとんど減衰せずにレンズ５ａに入射するようになった。また、レンズ５ａの撮像範囲の広角化により、レンズ５ａに入射し得る反射光の量も増えた。
【００１０】
本発明は、これらの点に鑑みてなされたものであって、本体内側の表面での反射光がレンズに入射しにくいテレビカメラ付きドアホン子器を提供することを目的とする。また、本発明の他の目的は、カメラ部のレンズに入射し得る全ての反射光が遮断できる条件を満たしたリブを有するテレビカメラ付きドアホン子器を提供することにある。
【００１１】
【課題を解決するための手段】
上記目的を達成するための、請求項１のテレビカメラ付きドアホン子器は、カメラ部と、前記カメラ部に隣接して配置されている前方照射用の光源と、前記カメラ部と前記光源が取り付けられたボディと、前記ボディに取り付けることで前記ボディと共に本体を構成し、前記カメラ部及び前記光源の前面と対向する開口部が設けられたカバーと、前記開口部に取り付けられたフィルタと、少なくとも前記カメラ部と前記光源との間に設けられたリブとを有するテレビカメラ付きドアホン子器において、前記リブが前記フィルタの内面に当接し、Ｌが前記リブの厚さ、ｔが前記フィルタの厚さ、αが前記カメラ部のレンズ画角を表すとき、前記リブの厚さＬが、Ｌ＞２ｔ・ｔａｎ（α／２）を満たし、かつ光源側から前記フィルタに入射し、フィルタ外面で反射した後レンズ画角の外郭に入射する光とフィルタ内面とのレンズ側及び光源側の交点をそれぞれＤ、Ｅとし、ＤＥ間の距離をＬ１とするとき、当接する前記リブの光源側の端縁が、Ｌ１＝２ｔ・ｔａｎ（α／２）を満たす光源側の交点Ｅの外側にあり、前記リブのレンズ側の端縁が、レンズ側の交点Ｄの外側にあるものである。
【００１６】
上記の構成より、フィルタの本体内部側の面で反射した強い反射光だけでなく、フィルタの外部側の面で反射した弱い反射光も上記リブによって遮ることができる。
【００１７】
請求項２のテレビカメラ付きドアホン子器は、請求項１に記載のテレビカメラ付きドアホン子器において、前記リブは一端が前記フィルタ内に入り込んでおり、前記フィルタ内に入り込んだ前記リブの前面から前記フィルタの外部側の面との距離をｔ’とするとき、前記リブの厚さＬが、Ｌ＞２ｔ’・ｔａｎ（α／２）を満たすものである。これによって、リブの厚さをフィルタに入り込む距離に応じて薄く形成することができ、且つフィルタの外部側の面で反射した弱い光も遮断することができる。
【００２０】
【本発明の実施の形態】
以下、本発明にかかる実施形態を、図面を参照しながら説明する。まず、第１実施形態におけるテレビカメラ付きドアホン子器の主な構成について述べる。図１は、第１実施形態のテレビカメラ付きドアホン子器を一部透視した正面概略図である。また、図２は図１におけるＡ−Ａ′線での断面を側方から見た概略図である。
【００２１】
該テレビカメラ付きドアホン子器の本体は、ボディ１とボディ１に取り付けられるカバー２とからなる。カバー２の中心より上方には略長方形状の開口部３が設けられており、該開口部３にはフィルタ４が取り付けられている。図１ではフィルタ４を図示せず、開口部３から見える本体内部を示している。
【００２２】
本体内部には、レンズ５ａ、ＣＣＤ素子などの固体撮像素子、及び光学撮像部などにより構成されたカメラ部５と、赤外発光素子からなる光源６がフィルタ４に対向するように配置されており、フィルタ４越しに訪問者の撮影及び前方の照射を行う。これらは同一のプリント配線板(図示せず)に取り付けられ、フィルタ４の向かって左半分にカメラ部５、右半分に横２列縦３段、合計６個の光源６が設けられている。このプリント配線板は前後に傾けることのできる構成となっており、該テレビカメラ付きドアホン子器を住宅の門柱や玄関の壁面などに取り付ける時にレンズ５ａの撮像範囲を調整する。
【００２３】
カメラ部５及び光源６の下方には、ドアホン親器より送られてきた音声信号を音声に復調して出力するスピーカー７が設けられている。スピーカー７に対向するカバー２には、スピーカー７からの音声が聞き取りやすいよう、長孔２ａが多数形成されている。
【００２４】
本体内部の向かって左隅には、訪問者の音声を取り入れるためのマイク８、カバー２の中心より下方には、呼出用押しボタン９が設けられている。また、該テレビカメラ付きドアホン子器を玄関や門柱の壁面に取り付けるための取り付け枠１０が、本体の周囲に取り付けられている。
【００２５】
図３は、第１実施形態のテレビカメラ付きドアホン子器の正面図である。ここでは、カバー２の開口部３付近を一部欠落させて示している。該欠落部分から見える本体内部には、本来カメラ部５や光源６などが配置されているが、これらは図示していない。その代わりに示されている斜線部１１は、カメラ部５及び光源６の背面に位置するボディ１の内側の表面を示している。また、図４は図３におけるＡ−Ａ′線での断面を側方から見た概略図である。
【００２６】
光源６より照射された光には、本体内側の表面や本体内部に設けられた部材の表面で反射した後、フィルタ４で反射してカメラ部５のレンズ５ａに入射するものがある。本実施形態では、レンズ５ａに入射する光量を軽減するため、本体内側の表面に光の反射率を下げる手段を設け、その部分で反射した光は強度が弱まる構成としている。
【００２７】
例えば、ボディ１及びカバー２の本体内側の表面にシボ加工を施して細かい凹凸状にしたり、反射率の低い材料を貼着する。このような光の反射率を下げる手段は、少なくともボディ１におけるカメラ部５及び光源６の背面に位置する部分(図３中の斜線部１１ａ、或いは図４中の太線部１１ａ)と、カバー２におけるカメラ部５及び光源６の上方部分(図４中の太線部１１ｂ)に設ける。また、本体内側の全表面に設けてもよい。上記の構成によって、光の反射率を下げる手段を設けた部分で反射した光はその強度が弱まり、カメラ部５のレンズ５ａに入射する前に減衰するので、レンズ５ａに入射する光量は軽減される。
【００２８】
次に、第２実施形態について説明する。図５は、本実施形態のテレビカメラ付きドアホン子器における縦方向の中心線での切断面を側方から見た概略図である。本実施形態では、カメラ部５のレンズ５ａに対して前後方向に並んだ、ボディ１におけるカメラ部５及び光源６の背面に位置する部分と、カバー２における開口部３付近及びフィルタ４とが互いに平行に位置していない。また、その他の主な構成は、第１実施形態のテレビカメラ付きドアホン子器と同様である。
【００２９】
光源６から照射された光は、まず前面のフィルタ４で反射し、次にボディ１におけるカメラ部５及び光源６の背面に位置する部分で反射する。ここでは、その反射光が再びフィルタ４で反射した後、レンズ５ａに入射することのないように、ボディ１のカメラ部５及び光源６の背面に位置する部分１ｂを、ボディ１全体に対して僅かに傾斜させている。本実施形態ではボディ１を傾斜させたが、カバー２及びフィルタ４を傾斜させてもよい。
【００３０】
これにより、傾斜部分１ｂで反射した光は、カバー２におけるフィルタ４の下方の方向に反射されるので、反射光がフィルタ４とボディ１との間で反射を繰り返しながら本体内を往復した後、レンズ５ａに入射するということがなくなる。
【００３１】
次に、第３実施形態について説明する。図６は、本実施形態のテレビカメラ付きドアホンを一部透視した正面概略図である。また、図７は図６におけるＢ−Ｂ′線での断面を側方から見た概略図、図８は図６におけるＣ−Ｃ′線での断面を下方から見た概略図である。本実施形態では、カメラ部５の左右両側に縦方向に延びた枠上のリブ２０ａ、２０ｂを設けている。これらのリブ２０ａ、２０ｂは、共にカバー２に一体となっている。その他の主な構成は、第１実施形態のテレビカメラ付きドアホン子器と同様である。
【００３２】
図９は、フィルタ４で反射し、レンズ５ａに入射する光の説明図である。点Ｏはレンズ５ａの中心、点Ａ及び点Ｂはフィルタ４の外部側の面上、点Ｃは本体内部の一点をそれぞれ示している。点Ｏ、点Ａ及び点Ｂで囲まれた範囲がレンズ５ａのレンズ画角である。点Ｃを通り本体内部から外部方向へ進む光は、フィルタ４における本体内部側の面上の点Ｅでフィルタ４に入射し、点Ｂで本体内部方向へ反射する。点Ｂで反射した光は、フィルタ４の本体内部側の面上の点Ｄを通ってレンズ５ａに入射する。
【００３３】
つまり、フィルタ４内の外部側の面で反射してレンズ５ａのレンズ画角に入射する光のうち、点Ｃを通り点Ｂで反射する光の反射角が最も大きい。本実施形態におけるリブ２０ａは、フィルタ４の外部側の面で反射する光のうち、点Ｃを通り点Ｂで反射する光のように、最も反射角の大きい反射光を遮断できる厚さを有する。これによって、レンズ５ａのレンズ画角に入射し得る全ての反射光を遮断することができる。
【００３４】
次に、本実施形態におけるリブ２０ａの厚さを数式により導出する。図９において、点Ｆはフィルタ４の本体内部側の面上にあり、点Ｂから本体内部方向に鉛直に位置する。つまり、点Ｄ、点Ｅ、及び点Ｆはいずれもフィルタ４の本体内部側の面上にあり、一直線上に並んでいる。点Ｃを通り点Ｂで反射する光を遮断するには、少なくとも点Ｄ、点Ｆ、及び点Ｅを通る直線の長さ以上の厚さをもつリブ２０ａを、レンズ画角の外側に設けなければならない。
【００３５】
ここで、点Ｂへの入射角をθ、フィルタ４の膜厚をｔとすると、ＥＦ間の距離Ｌ0は、
Ｌ0＝ｔ・tanθ
で表せる。また、点Ｂでの反射角は入射角θに等しいので、ＤＥ間の距離Ｌ1は、
Ｌ1＝２Ｌ0＝２ｔ・tanθ
となる。
【００３６】
レンズ５ａのレンズ画角をαとすると、点Ｂでの反射角θはレンズ画角αの半分であることから、Ｌ1は、
Ｌ1＝２ｔ・tan(α／２)
と表せる。従って、本実施形態のリブ２０ａの厚さＬは、
Ｌ＞２ｔ・tan(α／２)・・・・・(1)
によって表すことができる。尚、リブ２０ｂの厚さも該厚さＬに準じたものとするとより効果的である。
【００３７】
次に、第４実施形態について説明する。図１０は、本実施形態のテレビカメラ付きドアホン子器において、開口部３を通る横方向の切断面を下方から見た概略図である。本実施形態では、第３実施形態のテレビカメラ付きドアホン子器において、リブ２０ａの一端がフィルター４内に入り込んでいる。これによって、リブ２０ａの前面からフィルタ４の外部側の面との距離が短くなり、その部分だけフィルタ４の膜厚が薄くなったことになる。
【００３８】
フィルタ４内に入り込んだリブ２０ａの前面からフィルタ４の外部側の面との距離をｔ′とすると、リブ２０ａの厚さＬ′は、
Ｌ′＞２ｔ′・tan(α／２)
となる。ここで、第３実施形態のフィルタ４の膜厚ｔと比べると、
ｔ＞ｔ′
であることから、式(１)より
Ｌ＞２ｔ・tan(α／２)＞Ｌ′＞２ｔ′・tan(α／２)
を満たすリブ２０ａの厚さＬ′が存在する。つまり、本実施形態のリブ２０ａの厚さＬ′は、第３実施形態のリブ２０ａの厚さＬに比べて薄くすることができる。
【００３９】
次に、第５実施形態について説明する。図１１は、本実施形態のテレビカメラ付きドアホン子器において、開口部３を通る横方向の切断面を下方から見た概略図である。本実施形態では、フィルタ４のリブ２０ａによって区切られたカメラ部５に対向する部分と、光源６に対向する部分とでその膜厚が異なったものとしている。その他の主な構成は、第１実施形態のテレビカメラ付きドアホン子器と同様である。
【００４０】
図１２は、フィルタ４及びレンズ５ａ付近の説明図である。点Ｏ′はレンズ５ａの中心、点Ａ′及び点Ｂ′はフィルタ４内の外部側の面上の一点をそれぞれ示している。点Ｏ′、点Ａ′及び点Ｂ′で囲まれた範囲はレンズ５ａのレンズ画角である。ここでは、フィルタ４の光源６に対向する部分に対して、カメラ部５に対向する部分は薄く形成されている。このフィルタ４の膜厚変化部分４ａは、フィルタ４の本体内部側の面上におけるレンズ画角の光源６側の境界である点Ｄ′から、距離Ｌ2だけ離れた位置(点Ｐ)に設けられており、そこにリブ２０ａの前面が接している。距離Ｌ2はαをレンズ５ａのレンズ画角、ｔをフィルタ４の光源６に対向する部分の膜厚したとき、式(１)により導出されるものである。
【００４１】
フィルタ４の外部側の面で反射してレンズ５ａに入射する光は、直接レンズ５ａに入射するか、フィルタ４内を何度か反射してからレンズ５ａに入射する。本実施形態ではフィルタ４に膜厚変化部分４ａが設けられていることより、該膜厚変化部分４ａに光ファイバーのエッジ面のように反射光が集中する。それらの反射光はリブ２０ａによって遮られ、レンズ５ａに入射することはない。
【００４２】
以上、第１実施形態から第５実施形態まで説明したが、各実施形態の構成をそれぞれ組み合わせて用いれば、そのテレビカメラ付きドアホン子器はレンズに入射する光の量がさらに少ないものとなり、より効果的である。
【００４３】
【発明の効果】
以上説明したように、請求項１及び請求項２のテレビカメラ付きドアホン子器は、フィルタの本体内部側の面で反射した強い反射光だけでなく、フィルタの外部側の面の内側で反射した弱い反射光など、フィルタで反射してレンズに入射し得る反射光をリブによって遮ることができる。特に、請求項２のテレビカメラ付きドアホン子器は、リブの厚さを薄く構成することができ、本体内の他の部材を効率よく配置することができる。
【図面の簡単な説明】
【図１】  第１実施形態のテレビカメラ付きドアホン子器を一部透視した正面概略図である。
【図２】  図１におけるＡ−Ａ′線での断面を側方から見た概略図である。
【図３】  第１実施形態におけるテレビカメラ付きドアホン子器の正面概略図である。
【図４】  図３におけるＡ−Ａ′線での断面を側方から見た概略図である。
【図５】  第２実施形態のテレビカメラ付きドアホン子器において、縦方向の中心線での切断面を側方から見た図である。
【図６】  第３実施形態のテレビカメラ付きドアホン子器を一部透視した正面概略図である。
【図７】  図６におけるＢ−Ｂ′線での断面を側方から見た概略図である。
【図８】  図６におけるＣ−Ｃ′線での断面を下方から見た概略図である。
【図９】  フィルタ４で反射し、レンズ５ａに入射する光の説明図である。
【図１０】  第４実施形態のテレビカメラ付きドアホン子器において、開口部３を通る横方向の切断面を下方から見た概略図である。
【図１１】  第５実施形態のテレビカメラ付きドアホン子器において、開口部３を通る横方向の切断面を下方から見た概略図である。
【図１２】  フィルタ４及びレンズ５ａ付近の説明図である。
【図１３】  従来技術におけるテレビカメラ付きドアホン子器を一部透視した正面図である。
【図１４】  図１３におけるＤ−Ｄ′線での断面を上方から見た概略図である。
【符号の説明】
１    ボディ
２    カバー
３    開口部
４    フィルタ
５    カメラ部
５ａ    レンズ
６    光源
７    スピーカー
８    マイク
９    呼出用押しボタン
１０    取り付け枠
２０ａ    リブ
２０ｂ    リブ
【図１】
0003826970.tif 000002
【図２】
0003826970.tif 000003
【図３】
0003826970.tif 000004
【図４】
0003826970.tif 000005
【図５】
0003826970.tif 000006
【図６】
0003826970.tif 000007
【図７】
0003826970.tif 000008
【図８】
0003826970.tif 000009
【図９】
0003826970.tif 000010
【図１０】
0003826970.tif 000011
【図１１】
0003826970.tif 000012
【図１２】
0003826970.tif 000013
【図１３】
0003826970.tif 000014
【図１４】
0003826970.tif 000015